(57)【要約】  電流等化制御方法、装置、設備及びコンピュータ読み取り可能な記憶媒体である。前記電流等化制御方法は、電力回路のサンプリング信号を取得するステップ（Ｓ１０)と、前記サンプリング信号をデジタル信号に変換するステップ（Ｓ２０)と、前記デジタル信号を校正することにより、前記サンプリング信号と出力電流との間の対応関係が得られるステップ（Ｓ３０)と、前記対応関係に基づいて少なくとも１つの電源モジュールを電流等化制御するステップ（Ｓ４０)とを含む。
2021526346.tif 000002
【特許請求の範囲】
【請求項１】
電力回路のサンプリング信号を取得するステップと、
前記サンプリング信号をデジタル信号に変換するステップと、
前記デジタル信号を校正することにより、前記サンプリング信号と出力電流との間の対応関係が得られるステップと、
前記対応関係に基づいて少なくとも１つの電源モジュールを電流等化制御するステップと、を含む電流等化制御方法。
【請求項２】
前記少なくとも１つの電源モジュールは電流等化バス抵抗により電流等化バスに接続し、かつ前記対応関係に基づいて少なくとも１つの電源モジュールを電流等化制御するステップは、
電流等化バスの電圧信号を取得するステップと、
前記対応関係に基づいて前記電源モジュールの算出出力信号が得られるステップと、
前記電源モジュールの算出出力信号と電流等化バスの電圧を比較するステップと、
前記電源モジュールの算出出力信号と前記電流等化バスの電圧との差が第１閾値より大きい場合、前記電源モジュールが電圧を出力するための基準値を減少し、前記電源モジュールの算出出力信号と前記電流等化バスの電圧との差が第２閾値より小さい場合、前記電源モジュールが電圧を出力するための基準値を増大し、かつ前記電源モジュールの算出出力信号と前記電流等化バスの電圧との差が第１閾値以下かつ第２閾値以上である場合、前記電源モジュールが電圧を出力するための基準値を調節しないステップと、を含む請求項１に記載の電流等化制御方法。
【請求項３】
前記デジタル信号を校正することにより、前記サンプリング信号と出力電流との間の対応関係が得られるステップは、
二点法により前記デジタル信号を校正することにより、前記サンプリング信号と出力電流との間の線形関係が得られるステップと、
２次曲線フィッティング方法により前記デジタル信号を校正することにより、前記サンプリング信号と出力電流との間の二次関数関係が得られるステップと、
区分線形法により前記デジタル信号を校正することにより、前記サンプリング信号と出力電流との間の区分線形関係が得られるステップと、
前記デジタル信号を校正することにより、前記サンプリング信号と出力電流との間の自己定義関数関係が得られるステップとのうちの１つを含む請求項２に記載の電流等化制御方法。
【請求項４】
前記電流等化バス抵抗は、前記電源モジュール内に設けられ、或いは前記電源モジュールに外接される請求項２に記載の電流等化制御方法。
【請求項５】
電力回路のサンプリング信号を取得するように構成されているサンプリングモジュールと、
前記サンプリング信号をデジタル信号に変換するように構成されている変換モジュールと、
前記デジタル信号を校正することにより、前記サンプリング信号と出力電流との間の対応関係が得られるように構成されている校正モジュールと、
前記対応関係に基づいて少なくとも１つの電源モジュールを電流等化制御するように構成されている制御モジュールと、を備える電流等化制御装置。
【請求項６】
前記少なくとも１つの電源モジュールは電流等化バス抵抗により電流等化バスに接続し、かつ前記制御モジュールは、
電流等化バスの電圧信号を取得するように構成されているサンプリングユニットと、
前記対応関係に基づいて前記電源モジュールの算出出力信号が得られるように構成されている算出ユニットと、
前記電源モジュールの算出出力信号と電流等化バスの電圧を比較するように構成されている比較ユニットと、
前記電源モジュールの算出出力信号と前記電流等化バスの電圧との差が第１閾値より大きい場合、前記電源モジュールが電圧を出力するための基準値を減少し、前記電源モジュールの算出出力信号と前記電流等化バスの電圧との差が第２閾値より小さい場合、前記電源モジュールが電圧を出力するための基準値を増大し、かつ、前記電源モジュールの算出出力信号と前記電流等化バスの電圧との差が第１閾値以下かつ第２閾値以上である場合、前記電源モジュールが電圧を出力するための基準値を調節しないように構成されている調節ユニットと、を備える請求項５に記載の電流等化制御装置。
【請求項７】
前記校正モジュールは、
二点法により前記デジタル信号を校正することにより、前記サンプリング信号と出力電流との間の線形関係が得られるように構成されている線形校正ユニットと、
２次曲線フィッティング方法により前記デジタル信号を校正することにより、前記サンプリング信号と出力電流との間の二次関数関係が得られるように構成されている二次関数校正ユニットと、
区分線形法により前記デジタル信号を校正することにより、前記サンプリング信号と出力電流との間の区分線形関係が得られるように構成されている区分線形校正ユニットと、
前記デジタル信号を校正することにより、前記サンプリング信号と出力電流との間の自己定義関数関係が得られるように構成されている自己定義校正ユニットとのうちの１つを備える請求項６に記載の電流等化制御装置。
【請求項８】
前記電流等化バス抵抗は、前記電源モジュール内に設けられ、或いは前記電源モジュールに外接される請求項６に記載の電流等化制御装置。
【請求項９】
メモリとプロセッサを備え、前記メモリに前記プロセッサにより実行される少なくとも１つのコンピュータプログラムが記憶され、前記プロセッサが前記コンピュータプログラムを実行すると、請求項１〜４のいずれか一項に記載の電流等化制御方法を実行する電子設備。
【請求項１０】
コンピュータプログラムが記憶され、当該コンピュータプログラムがプロセッサにより実行されると、請求項１〜４のいずれか一項に記載の電流等化制御方法を実行するコンピュータ読み取り可能な記憶媒体。
【発明の詳細な説明】
【技術分野】
【０００１】
本開示は通信技術の分野に関するが、それに限定されていない。
【背景技術】
【０００２】
通信電源の分野では、負荷電力及び給電の信頼性の要求を満足するために、複数の電源が並列することにより高出力を実現するのは、非常に重要である。電源モジュールが並列的に使用されると、拡張しやすく、互換性がよく、冗長的にバックアップすることができるというメリットを有し、これらのメリットは、電源分野において電源並列・電流等化技術方面における研究及び発展を推進する。
【０００３】
複数の同じ電源が並列して作動するとき、回路素子のパラメータの差異により、各電源の出力電流が異なり、異なる電源が作動するとき、電気応力及び熱応力が異なり、並列システム全体の運転信頼性を影響し、システム給電の信頼性を確保するために、電源モジュールは、電源並列・電流等化の機能を有する必要がある。
【０００４】
電源システムがデジタル化に向けて発展することにつれ、高度に統合され、移植しやすいデジタル電源システムは、電源システム全体の発展方向となり、デジタル電源設計のうちの重要な一環として、電流等化技術のデジタル制御方法の提出が差し迫っている。
【発明の概要】
【０００５】
本開示の一形態によれば、電力回路のサンプリング信号を取得するステップと、前記サンプリング信号をデジタル信号に変換するステップと、前記デジタル信号を校正することにより、前記サンプリング信号と出力電流との間の対応関係が得られるステップと、前記対応関係に基づいて少なくとも１つの電源モジュールを電流等化制御するステップとを含む電流等化制御方法を提供する。
【０００６】
本開示の別の形態によれば、電力回路のサンプリング信号を取得するように構成されているサンプリングモジュールと、前記サンプリング信号をデジタル信号に変換するように構成されている変換モジュールと、前記デジタル信号を校正することにより、前記サンプリング信号と出力電流との間の対応関係が得られるように構成されている校正モジュールと、前記対応関係に基づいて少なくとも１つの電源モジュールを電流等化制御するように構成されている制御モジュールと、を備える電流等化制御装置を提供する。
【０００７】
本開示の更なる形態によれば、メモリとプロセッサを備え、前記メモリに前記プロセッサにより実行される少なくとも１つのコンピュータプログラムが記憶され、前記プロセッサが前記コンピュータプログラムを実行すると、本開示による電流等化制御方法を実行する電子設備を提供する。
【０００８】
本開示の更なる形態によれば、コンピュータプログラムが記憶され、前記プロセッサが前記コンピュータプログラムを実行すると、本開示による電流等化制御方法を実行するコンピュータ読み取り可能な記憶媒体を提供する。
【図面の簡単な説明】
【０００９】
【図１】図１は、本開示の実施例による電流等化制御方法のフローチャートである。
【図２】図２は、本開示の実施例による電源モジュールの電流等化制御方法のハードウェア回路図である。
【図３】図３は、本開示の実施例による複数の電源モジュールが並列して作動する模式図である。
【図４】図４は、図１に示す電流等化制御方法におけるステップＳ４０のフローチャートである。
【図５】図５は、本開示の実施例による電源モジュールの電流等化制御方法のハードウェア回路図である。
【図６】図６は、本開示の実施例による電源モジュールの電流等化制御方法のハードウェア回路図である。
【図７】図７は、本開示の実施例による電源モジュールの電流等化制御方法のハードウェア回路図である。
【図８】図８は、本開示の実施例による電流等化制御装置の構成を模式的に示すブロック図である。
【図９】図９は、図８に示す電流等化制御装置における制御モジュールを模式的に示すブロック図である。
【図１０】図１０は、図８に示す電流等化制御装置における校正モジュールを模式的に示すブロック図である。
【発明を実施するための形態】
【００１０】
以下、本開示の解決しようとする技術課題、技術案及び有益な効果をより明瞭するために、図面及び実施例を組み合わせて本開示をさらに詳しく説明する。ここで説明する具体的な実施例は、本開示を説明するためのものであり、本開示を限定するものではないことが理解されるべきである。
【００１１】
デジタル電流等化制御方法は、通常、出力電流サンプリング・増幅モジュールを介して電源の電流をサンプリングする。出力電流サンプリング・増幅モジュールは、通常、サンプリング抵抗、プリント回路板の銅箔配線又は電力素子内部の抵抗によりサンプリングし、サンプリング抵抗、プリント回路板の銅箔配線又は電力素子自体の抵抗のパラメータ差異により、同じ電流が流れても、サンプリングして得た電圧も異なる。サンプリングした電圧を電流等化制御に直接的に用いる場合に、サンプリング電圧の差異により電流等化制御にばらつきが生じ、それによりシステム全体の電流等化効果及びシステムの長期作動の信頼性を影響する。
【００１２】
図１は、本開示の実施例による電流等化制御方法のフローチャートである。
図１に示すように、本開示の実施例による電流等化制御方法は、ステップＳ１０〜Ｓ４０を含むことができる。
【００１３】
ステップＳ１０において、電力回路のサンプリング信号を取得する。
ステップＳ２０において、サンプリング信号をデジタル信号に変換する。
【００１４】
ステップＳ３０において、デジタル信号を校正することにより、サンプリング信号と出力電流との間の対応関係が得られる。
【００１５】
ステップＳ４０において、前記対応関係に基づいて少なくとも１つの電源モジュールを電流等化制御する。
【００１６】
本開示の実施例によれば、サンプリング信号を変換して校正することにより、サンプリング信号と出力電流との間の対応関係が得られ、各サンプリング回路間の差異による並列電源モジュールの電流等化制御に対して引き起こしたばらつきを解消することができ、電源モジュールの電流等化効果を向上させ、それによりシステムの信頼性を向上させることができる。
【００１７】
図２は、本開示の実施例による電源モジュールの電流等化制御方法のハードウェア回路図である。
【００１８】
幾つかの実施例では、図２に示すように、電源モジュールの電流等化制御方法のハードウェア回路図は、電力回路と制御回路を含む。電力回路の両端は、それぞれ電源モジュールの入力端及び出力端に接続される。制御回路は、第１アナログ・デジタル変換ユニットＡＤ１、校正モジュール、デジタル・アナログ変換ユニットＤＡ、第２アナログ・デジタル変換ユニットＡＤ２及び電流等化バス抵抗Ｒを備える。第１アナログ・デジタル変換ユニットＡＤ１は、電力回路がサンプリングしたサンプリング信号をデジタル信号に変換し、そして、校正モジュールに記憶されたアルゴリズムによりデジタル信号を校正し、それによりサンプリング信号と出力電流との間の対応関係が得られる。そして、得られたサンプリング信号と出力電流との間の対応関係に基づいて電源モジュールを電流等化制御し、このようにしてそれぞれの電源モジュールの出力電流がサンプリング信号のみに関連し、それによりサンプリング回路の差異による電流等化回路作動の影響を解消した。
【００１９】
電源モジュールの算出出力信号（図に示すＶ１１）がリアルタイムに算出される必要があるので、Ｖ１１を算出するためのプログラムが制御回路の中断プログラムに設置し、或いは専用のハードウェア回路により処理することにより、算出速度を速くすることができる。別の実施例として、Ｖ１１を取得するためのハードウェア回路は制御回路以外にセットしてもよい。Ｖ１１を算出するための具体的な実施形態が後記する。
【００２０】
電源モジュールの算出出力信号Ｖ１１と電流等化バスの電圧ＶＩｓｈａｒｅとの差が第１閾値（第１閾値が自己定義される零以上の値である）より大きい場合、制御信号により電力回路を制御することにより、電源モジュールが電圧を出力するための基準値を減少し、電源モジュールの出力電流を減少する目的を達成することができる。一方、電源モジュールの算出出力信号Ｖ１１と電流等化バスの電圧ＶＩｓｈａｒｅとの差が第２閾値（第２閾値が自己定義される零以下の値である）より小さい場合、制御信号により電力回路を制御することにより、電源モジュールが電圧を出力するための基準値を向上させ、電源モジュールの出力電流を増大する目的を達成することができる。また、電源モジュールの算出出力信号Ｖ１１と電流等化バスの電圧ＶＩｓｈａｒｅとの差が第１閾値以下かつ第２閾値以上である場合、電源モジュールが電圧を出力する基準値を調節しなくてもよい。
【００２１】
本開示の実施例によれば、サンプリング回路に高精度のサンプリング抵抗を採用する必要がなく、電源のレイアウト面積を大幅に減少し、電源のコストを低下し、電源全体の変換効率を向上させた。
【００２２】
図３は、本開示の実施例による複数の電源モジュールが並列して作動する模式図である。
【００２３】
図３に示すように、各電源モジュールの制御回路は、それぞれ各サンプリング信号と出力電流との間の対応関係を取得し、かつ得られた対応関係に基づいて電源モジュールの電力回路を電流等化制御し、電源モジュールの電流等化効果を向上させ、それによりシステムの信頼性を向上させた。
【００２４】
図４は、図１に示す電流等化制御方法におけるステップＳ４０のフローチャートである。
【００２５】
図４に示すように、図２を参照して説明した電源モジュールは、電流等化バス抵抗Ｒを介して電流等化バスに接続し、かつ図１を参照して説明した電流等化制御方法の実施例におけるステップＳ４０は、ステップＳ４１〜Ｓ４６を含むことができる。
【００２６】
ステップＳ４１において、電流等化バスの電圧信号ＶＩｓｈａｒｅを取得する。
ステップＳ４２において、対応関係に基づいて電源モジュールの算出出力信号Ｖ１１が得られる。
【００２７】
ステップＳ４３において、電源モジュールの算出出力信号Ｖ１１と電流等化バスの電圧ＶＩｓｈａｒｅを比較する。
【００２８】
図２に示す第２アナログ・デジタル変換ユニットＡＤ２において算出出力信号Ｖ１１と電流等化バスの電圧ＶＩｓｈａｒｅを比較することができる。別の実施例として、図５に示すように、演算増幅器又は比較器により算出出力信号Ｖ１１と電流等化バスの電圧ＶＩｓｈａｒｅを比較することができる。
【００２９】
ステップＳ４４において、電源モジュールの算出出力信号Ｖ１１と電流等化バスの電圧ＶＩｓｈａｒｅとの差が第１閾値より大きい場合、電源モジュールが電圧を出力するための基準値を減少する。
【００３０】
ステップＳ４５において、電源モジュールの算出出力信号Ｖ１１と電流等化バスの電圧ＶＩｓｈａｒｅとの差が第２閾値より小さい場合、電源モジュールが電圧を出力するための基準値を増大する。
【００３１】
ステップＳ４６において、電源モジュールの算出出力信号Ｖ１１と電流等化バスの電圧ＶＩｓｈａｒｅとの差が第１閾値以下かつ第２閾値以上である場合、電源モジュールが電圧を出力するための基準値を調節しない。
【００３２】
幾つかの実施例では、図１を参照して説明した電流等化制御方法の実施例におけるステップＳ３０は、以下の１つを含むことができる。二点法によりデジタル信号を校正することにより、サンプリング信号と出力電流との間の線形関係が得られる。２次曲線フィッティング方法によりデジタル信号を校正することにより、サンプリング信号と出力電流との間の二次関数関係が得られる。区分線形法によりデジタル信号を校正することにより、サンプリング信号と出力電流との間の区分線形関係が得られる。デジタル信号を校正することにより、サンプリング信号と出力電流との間の自己定義関数関係が得られる。
【００３３】
二点法によりデジタル信号を校正する場合、例えば、図２に示すように、電源モジュールの出力電流がＩ１０であると、得られたサンプリング信号がＶ１０であり、サンプリング信号が第１アナログ・デジタル変換ユニットＡＤ１を介してアナログ・デジタル変換した後にデジタル信号Ｄ１０が得られる。また、電源モジュールの出力電流がＩ２０であると、得られたサンプリング信号がＶ２０であり、サンプリング信号が第１アナログ・デジタル変換ユニットＡＤ１を介してアナログ・デジタル変換した後にデジタル信号Ｄ２０が得られる。二点法により校正を行う場合、サンプリング信号Ｖと出力電流Ｉの関係は、以下の通りである。
【００３４】
Ｖ＝ｋ＊Ｉ＋ｂ                                                （１）
以上のデータを代入すると、以下の関係式が得られる。
【００３５】
Ｄ１０＝ｋ＊Ｉ１０＋ｂ                                        （２）
Ｄ２０＝ｋ＊Ｉ２０＋ｂ                                        （３）
以下のことを導き出すことができる。
【００３６】
ｋ＝（Ｄ２０−Ｄ１０）／（Ｉ２０−Ｉ１０）                  （４）
ｂ＝Ｄ１０−ｋ＊Ｉ１０                                      （５）
このようにして、出力電流Ｉとサンプリング信号Ｖとの間の以下関係が得られる。
【００３７】
Ｉ＝（Ｖ−ｂ）／ｋ                                          （６）
異なる電源モジュール内部の抵抗が異なるので、異なる電源モジュールのｋ値及びｂ値が異なっていてもよい。以上の関係式（６）により、測定した電圧値に基づいて電源モジュールの出力電流を算出することができる。そして、電圧を出力する基準値と同じ基準値を採用して、デジタル・アナログ変換ユニットＤＡを利用して電流値を電源モジュールの算出出力信号Ｖ１１に変換し、かつ電流等化バス抵抗Ｒにより電流等化バスに外接する。
【００３８】
２次曲線フィッティング方法によりデジタル信号を校正する場合に、サンプリング信号と出力電流信号との間の関数関係は、以下の通りである。
【００３９】
Ｖ＝Ａ＊Ｉ２＋Ｂ＊Ｉ＋Ｃ                                      （７）
必要に応じて複数点でサンプリングし、それぞれ各電源モジュールに対応する係数Ａ、Ｂ、Ｃを算出することができる。二点法による校正に類似し、推定した出力電流Ｉとサンプリング信号Ｖとの間の関係により、測定した電圧値に基づいて電源モジュールの出力電流を算出することができる。そして、電圧を出力するための基準値と同じ基準値を採用し、デジタル・アナログ変換ユニットＤＡにより電流値を電源モジュールの算出出力信号Ｖ１１に変換し、かつ電流等化バス抵抗Ｒにより電流等化バスに外接される。
【００４０】
区分線形法によりデジタル信号を校正する場合には、例えば、電源モジュールの出力電流がＩ１０であると、得られたサンプリング信号がＶ１０であり、対応したデジタル信号がＤ１０である。電源モジュールの出力電流がＩ２０であると、得られたサンプリング信号がＶ２０であり、対応したデジタル信号がＤ２０である。電源モジュールの出力電流がＩ３０であると、得られたサンプリング信号がＶ３０であり、対応したデジタル信号がＤ３０である。電源モジュールの出力電流がＩ４０であると、得られたサンプリング信号がＶ４０であり、対応したデジタル信号がＤ４０である。区分線形法により校正する場合、出力電流の範囲がＩ１０〜Ｉ２０である場合(Ｉ１０とＩ２０の２つの端点を含む)、サンプリング信号Ｖと出力電流Ｉとの関係は、以下の通りである。
【００４１】
Ｖ＝ｋ１＊Ｉ＋ｂ１                                            （８）
出力電流の範囲がＩ３０〜Ｉ４０である場合(Ｉ３０とＩ４０の２つの端点を含む)、サンプリング信号Ｖと出力電流Ｉとの関係は、以下の通りである。
【００４２】
Ｖ＝ｋ２＊Ｉ＋ｂ２                                            （９）
以下のことを導き出すことができる。
【００４３】
ｋ１＝（Ｄ２０−Ｄ１０）／（Ｉ２０−Ｉ１０）
ｂ１＝Ｄ１０−ｋ１＊Ｉ１０
ｋ２＝（Ｄ４０−Ｄ３０）／（Ｉ４０−Ｉ３０）
ｂ２＝Ｄ３０−ｋ２＊Ｉ３０
このようにして各電源モジュールのｋ１、ｂ１、ｋ２、b２などのパラメータが得られる。上記実施例は、区分線形法を二つの区分に分けて算出するように説明したが、本開示はそれに限定されていない。例えば、必要に応じて３つ又は３つ以上の区分に分けて算出することもできる。
【００４４】
幾つかの場合では、サンプリング信号と出力電流は、必ずしも線形関係又は二次関数関係にあるのではなく、三次関数又はより高次関数の関係になる可能性もある。実際の情況に応じて、サンプリング信号と出力電流との間の自己定義関数関係が得られる。
【００４５】
電流等化バスの電流等化方式は、平均値電流等化であってもよく、最大値電流等化又は他の電流等化方式であってもよい。
【００４６】
図６は、本開示の実施例による電源モジュールの電流等化制御方法のハードウェア回路図である。
【００４７】
図６に示すように、図２に示すハードウェア回路図に比べて、本実施例によるハードウェア回路図において、電流等化バス抵抗Ｒは電源モジュール内部に設けられるが、制御回路に外接される。
【００４８】
図７は、本開示の実施例による電源モジュールの電流等化制御方法のハードウェア回路図である。
【００４９】
図７に示すように、図２に示すハードウェア回路図と比べて、本実施例によるハードウェア回路図において、電流等化バス抵抗Ｒは電源モジュール外部に設けられる。
【００５０】
幾つかの実施例では、電源モジュールは、測定した電圧値に基づいて電源モジュールの出力電流を算出したので、出力電流をデジタル・アナログ変換しない。この場合に、校正アルゴリズムは線形校正であってもよく、高次関数校正又は他の自己定義校正アルゴリズムであってもよい。電流等化の制御方式は平均値電流等化であってもよく、最大値電流等化又は他の電流等化アルゴリズムであってもよい。
【００５１】
図８は、本開示の実施例による電流等化制御装置の構成を模式的に示すブロック図である。
【００５２】
図８に示すように、本実施例による電流等化制御装置は、サンプリングモジュール１０、変換モジュール２０、校正モジュール３０及び制御モジュール４０を備えることができる。
【００５３】
サンプリングモジュール１０は、電力回路の電流サンプリング信号を取得するように構成されている。
【００５４】
変換モジュール２０は、サンプリング信号をデジタル信号に変換するように構成されている。
【００５５】
校正モジュール３０は、デジタル信号を校正することにより、サンプリング信号と出力電流との間の対応関係が得られるように構成されている。
【００５６】
制御モジュール４０は、前記対応関係に基づいて少なくとも１つの電源モジュールを電流等化制御するように構成されている。
【００５７】
本開示の実施例によれば、サンプリング信号を変換して校正することにより、サンプリング信号と出力電流との間の対応関係を取得し、各サンプリング回路間の差異による並列電源モジュールの電流等化制御に対して引き起こしたばらつきを解消することができ、電源モジュールの電流等化効果を向上させ、それによりシステムの信頼性を向上させた。
【００５８】
図９は、図８に示す電流等化制御装置における制御モジュール４０の構成を模式的に示すブロック図である。
【００５９】
図９に示すように、本実施例において、制御モジュール４０は、サンプリングユニット４１、算出ユニット４２、比較ユニット４３及び調節ユニット４４を備える。
【００６０】
サンプリングユニット４１は、電流等化バスの電圧信号を取得するように構成されている。
【００６１】
算出ユニット４２は、対応関係に基づいて電源モジュールの算出出力信号が得られるように構成されている。
【００６２】
比較ユニット４３は、電源モジュールの算出出力信号と電流等化バスの電圧を比較するように構成されている。比較ユニット４３は、図２に示す第２アナログ・デジタル変換ユニットＡＤ２として実現することができる。別の実施例として、比較ユニット４３は図５に示す比較器により実現することもできる。
【００６３】
調節ユニット４４は、電源モジュールの算出出力信号と電流等化バスの電圧との差が第１閾値より大きい場合、電源モジュールが電圧を出力するための基準値を減少し、電源モジュールの算出出力信号と電流等化バスの電圧との差が第２閾値より小さい場合、電源モジュールが電圧を出力するための基準値を増大し、電源モジュールの算出出力信号と電流等化バスの電圧との差が第１閾値以下かつ第２閾値以上である場合、電源モジュールが電圧を出力するための基準値を調節しないように構成されている。
【００６４】
調節ユニット４４は、電源モジュールの算出出力信号と電流等化バスの電圧との差が第１閾値より大きい場合、電源モジュールが電圧を出力するための基準値を減少し、電源モジュールの算出出力信号と電流等化バスの電圧との差が第２閾値より小さい場合、電源モジュールが電圧を出力するための基準値を増大し、電源モジュールの算出出力信号と電流等化バスの電圧との差が第１閾値以下かつ第２閾値以上である場合、電源モジュールが電圧を出力するための基準値を調節しないように構成されている。
【００６５】
図１０は、図８に示す電流等化制御装置における校正モジュール３０の構成を模式的に示すブロック図である。
【００６６】
図１０に示すように、本実施例では、校正モジュール３０は、線形校正ユニット３１、二次関数校正ユニット３２、区分線形校正ユニット３３及び自己定義校正ユニット３４のうちの少なくとも１つを備えることができる。
【００６７】
線形校正ユニット３１は、二点法によりデジタル信号を校正することにより、サンプリング信号と出力電流との間の線形関係が得られるように構成されている。
【００６８】
二次関数校正ユニット３２は、２次曲線フィッティング方法によりデジタル信号を校正することにより、サンプリング信号と出力電流との間の関数関係が得られるように構成されている。
【００６９】
区分線形校正ユニット３３は、区分線形法によりデジタル信号を校正することにより、サンプリング信号と出力電流との間の区分線形関係が得られるように構成されている。
【００７０】
自己定義校正ユニット３４は、デジタル信号を校正することによりサンプリング信号と出力電流との間の自己定義関数関係が得られるように構成されている。
【００７１】
以上、各種校正方式を詳しく説明したが、ここで重複して説明しない。
本開示の実施例は、メモリとプロセッサを備え、前記メモリに前記プロセッサにより実行する少なくとも１つのコンピュータプログラムが記憶され、前記プロセッサが前記コンピュータプログラムを実行すると、前記プロセッサは本開示の各実施例による電流等化制御方法を実行する電子設備をさらに提供する。
【００７２】
本開示の実施例は、コンピュータプログラムが記憶され、当該コンピュータプログラムがプロセッサにより実行されると、本開示の各実施例による電流等化制御方法を実行するコンピュータ読み取り可能な記憶媒体をさらに提供する。
【００７３】
本開示の各実施例の電流等化制御方法、装置、設備及びコンピュータ読み取り可能な記憶媒体によれば、サンプリング信号を変換して校正することにより、サンプリング信号と出力電流との間の対応関係を取得し、各サンプリング回路間の差異による並列電源モジュールの電流等化制御に対して引き起こしたばらつきを解消することができ、電源モジュールの電流等化効果を向上させ、それによりシステムの信頼性を向上させた。
【００７４】
以上の実施形態の説明によれば、当業者は、上記の実施例の方法がソフトウェアおよび必要な汎用ハードウェアプラットフォームの方式によって実現されることができ、当然、ハードウェアによっても実現されることもできると明確に理解することができる。このような理解に基づいて、本開示の技術案は、ソフトウェア製品の形式で具体化することができる。このコンピュータソフトウェア製品は、記憶媒体（ＲＯＭ／ＲＡＭ、磁気ディスク、光ディスク、フラッシュなど）に格納され、いくつかの指令を含み、それにより一台の端末設備（携帯電話、コンピュータ、サーバー、エアコン、またはネットワークデバイスなどであってもよい）は、本開示の各実施形態に記載された方法を実行する。
【００７５】
以上、図面を参照しながら本開示の実施例を説明したが、本開示の請求範囲を限定していない。当業者が本開示の範囲および本質から逸脱することなく行われたいかなる修正、同等置換および改良も、本開示の請求範囲内に含まれるものとする。
【図１】
2021526346.tif 000003
【図２】
2021526346.tif 000004
【図３】
2021526346.tif 000005
【図４】
2021526346.tif 000006
【図５】
2021526346.tif 000007
【図６】
2021526346.tif 000008
【図７】
2021526346.tif 000009
【図８】
2021526346.tif 000010
【図９】
2021526346.tif 000011
【図１０】
2021526346.tif 000012
【国際調査報告】
2021526346.tif 000013
2021526346.tif 000014
2021526346.tif 000015
2021526346.tif 000016